(57)【要約】【課題】ブラストすべき面に対して垂直にブラスト材を吹き付けることができない場合であっても、簡易な方法で所定範囲のみをブラスト処理することができ、かつ、ブラスト材や粉塵の飛散を抑制することができる局所ブラスト処理方法および局所ブラスト処理装置を提供する。【解決手段】溶接連結された鋼構造体の溶接発錆部および熱影響部をブラスト処理する方法において、前記溶接発錆部および熱影響部を含む、ブラスト処理をする必要があるかブラスト処理が許容される領域のみについてブラスト処理を可能とするように立体遮蔽体１０を配設することにより、該領域内の前記溶接発錆部および熱影響部を含む面に対して斜めにブラスト材を吹き付けてブラスト処理を行っても、ブラスト材や粉塵の飛散を抑制できるようにする。【選択図】図９
2008290212.tif 000002
【特許請求の範囲】
【請求項１】
溶接連結された鋼構造体の溶接発錆部および熱影響部をブラスト処理する方法において、
前記溶接発錆部および熱影響部を含む、ブラスト処理をする必要があるかブラスト処理が許容される領域のみについてブラスト処理を可能とするように立体遮蔽体を配設することにより、該領域内の前記溶接発錆部および熱影響部を含む面に対して斜めにブラスト材を吹き付けてブラスト処理を行っても、ブラスト材や粉塵の飛散を抑制できるようにしたことを特徴とする局所ブラスト処理方法。
【請求項２】
前記立体遮蔽体が、ブラスト処理のための開き空間を有することを特徴とする請求項１に記載の局所ブラスト処理方法。
【請求項３】
前記鋼構造体が鋼床版であって、前記ブラスト処理をする必要があるかブラスト処理が許容される領域が、該鋼床版を下方から支持する桁又はリブのスカーラップ部近傍の領域であることを特徴とする請求項１又は２に記載の局所ブラスト処理方法。
【請求項４】
バキュームブラストノズルを用いてブラスト処理を行うことを特徴とする請求項１〜３のいずれかに記載の局所ブラスト処理方法。
【請求項５】
前記立体遮蔽体には磁石が取り付けられており、該磁石で該立体遮蔽体を前記鋼構造体に固定して前記配設を行うことを特徴とする請求項１〜４のいずれかに記載の局所ブラスト処理方法。
【請求項６】
前記立体遮蔽体には両面糊付きテープが付着させられており、該両面糊付きテープで該立体遮蔽体を前記鋼構造体に固定して前記配設を行うことを特徴とする請求項１〜５のいずれかに記載の局所ブラスト処理方法。
【請求項７】
溶接連結された鋼構造体の溶接発錆部および熱影響部をブラスト処理するブラスト装置において、
前記溶接発錆部および熱影響部を含む、ブラスト処理をする必要があるかブラスト処理が許容される領域のみについてブラスト処理を可能とするように立体遮蔽体を配設することにより、該領域内の前記溶接発錆部および熱影響部を含む面に対して斜めにブラスト材を吹き付けてブラスト処理を行っても、ブラスト材や粉塵の飛散を抑制できるようにしたことを特徴とする局所ブラスト処理装置。
【請求項８】
前記立体遮蔽体が、ブラスト処理のための開き空間を有することを特徴とする請求項７に記載の局所ブラスト処理装置。
【請求項９】
前記開き空間が、前記立体遮蔽体の上面から底面まで貫通していることを特徴とする請求項７又は８に記載の局所ブラスト処理装置。
【請求項１０】
前記開き空間の底部が閉じられていることを特徴とする請求項７又は８に記載の局所ブラスト処理装置。
【請求項１１】
前記立体遮蔽体が、前記開き空間の底部から前記立体遮蔽体の底面までを貫通する孔を有することを特徴とする請求項１０に記載の局所ブラスト処理装置。
【請求項１２】
前記立体遮蔽体が、スポンジ体からなることを特徴とする請求項７〜１１のいずれかに記載の局所ブラスト処理装置。
【請求項１３】
前記開き空間を形成する面のうち、ブラスト処理の際にブラスト材の当たる箇所が補強されていることを特徴とする請求項７〜１２のいずれかに記載の局所ブラスト処理装置。
【発明の詳細な説明】
【技術分野】
【０００１】
本発明は、局所ブラスト処理方法および該処理方法を実現する局所ブラスト処理装置に関し、詳しくは、ブラスト面に対して斜めにブラスト材を吹き付けてブラスト処理を行っても、ブラスト材や粉塵の飛散を抑制できる局所ブラスト処理方法および該処理方法を実現する局所ブラスト処理装置に関する。
【背景技術】
【０００２】
鋼構造物の長寿命化のために塗装性能を向上させることが求められており、素地調整を現場で行う場合であっても、１種ケレンに相当する素地調整が求められるようになってきている。例えば、鋼橋塗装の規準書である鋼橋塗装・防食便覧（平成１７年１２月版）では、新設橋の現場施工の継ぎ手部のうち、ボルト継ぎ手では動力工具を用いる２種ケレンも許容されているが、溶接継ぎ手では１種ケレンまで求められており、ブラストを掛けることが必要とされている。また、既設橋の塗り替え塗装においても、耐久性が特に求められる場合には１種ケレンまで求められており、ブラスト処理を行うことが求められている。
【０００３】
具体例として、Ｕリブ鋼床版の塗装処理について説明する。
【０００４】
図１は、Ｕリブ鋼床版を斜め上方から見た斜視図であり、図２は、斜め下方から見た斜視図である。
【０００５】
Ｕリブ鋼床版１００は、鋼板で形成された鋼床版（デッキプレート）１０２と、鋼床版（デッキプレート）１０２の下面に橋軸方向に配置された主桁（縦桁）１０４と、橋軸直角方向に配置された横桁１０６と、を主構造とし、さらに鋼床版（デッキプレート）１０２の下面にＵリブ（縦リブ）１０８を橋軸方向に配置し、横リブ１１０を橋軸直角方向に配置して補強した構造である。Ｕリブ鋼床版１００の大きさは橋軸方向に１０ｍ程度、橋軸直角方向に３ｍ程度であり、複数のＵリブ鋼床版１００が現場で溶接接合やボルト接合等で連結されて道路橋の上部工を形成している。
【０００６】
図３は、連結されたＵリブ鋼床版１００を斜め上方から見た斜視図である。鋼床版（デッキプレート）１０２同士は現場溶接により連結されており、図３に示すように、橋軸方向および橋軸直角方向に、溶接金属及び熱影響部からなる現場溶接塗装部１１２が形成されている。溶接金属は溶接ビード１２０（図６参照）のことであり、熱影響部は溶接熱の影響を受けた部分のことである。現場溶接塗装部１１２の幅は２００ｍｍ程度であり、隣り合う鋼床版（デッキプレート）１０２の端部１００ｍｍ幅程度ずつが現場溶接塗装部１１２となっている。鋼床版（デッキプレート）１０２の上面には舗装が施されており、道路面が形成されている。
【０００７】
１つのＵリブ鋼床版１００を構成する各部材は全て工場で溶接されており、現場において他のＵリブ鋼床版１００と溶接やボルトで接合される部分を除き、内面仕様については工場で仕上げ塗装までされている（外面仕様は下塗りまでの場合もある）。ボルト接合部（例えば、図１、２の現場ボルト接合部１１４）については、工場出荷段階では無塗装仕様か無機ジンクリッチペイント塗装となっており、先に述べたように、ボルト接合後に動力工具を用いての２種ケレンを行った後に、下塗り塗装、中上塗り塗装を行う。
【０００８】
現場溶接を行う鋼床版（デッキプレート）１０２の開先部については、工場出荷段階では、図４に示すように、特殊な防錆材を片側３０ｍｍ幅程度塗布し、その外側７０ｍｍ幅程度については無機ジンクリッチペイントが塗装されている。この合計１００ｍｍ幅程度の範囲が現場溶接塗装部１１２となり、溶接後に現場塗装が行われる。この合計１００ｍｍ幅程度の範囲は、隣り合う鋼床版（デッキプレート）１０２のどちらの端部にも存在するので、現場溶接塗装部１１２の幅は２００ｍｍ程度となり、この幅２００ｍｍ程度の範囲に現場塗装が行われることになる。なお、鋼床版（デッキプレート）１０２の下面のうち、この幅２００ｍｍ程度の現場溶接塗装部１１２以外の部分については工場で仕上げ塗装まで行われており、この工場塗装部分には現場作業で傷を付けないようにする必要がある。
【０００９】
Ｕリブ鋼床版１００の現場溶接については、図５に示すように、鋼床版（デッキプレート）１０２下面に裏波の出る特殊な裏当て材１１６と裏当て材カバー１１８を設置した後に、図６に示すように、鋼床版（デッキプレート）１０２上面からサブマージアーク溶接を行うことが一般的であり、現場溶接を行う２つの鋼床版（デッキプレート）１０２の開先部の間には、サブマージアーク溶接による溶接金属によって溶接ビード１２０が形成されて、２つの鋼床版（デッキプレート）１０２は連結される。
【００１０】
現場溶接後、現場溶接塗装部１１２の鋼床版１０２下面の裏波溶接部は程なく発錆する（この発錆した裏波溶接部を溶接発錆部と称する）。開先防錆剤部や無機ジンクリッチペイントの一部は、溶接熱の影響で変状する。このため、鋼床版１０２下面の溶接発錆部および熱影響部、即ち鋼床版１０２下面の現場溶接塗装部１１２は、現場塗装を行う前に研掃する必要がある。先に述べたように、溶接継ぎ手であるため１種ケレンまで求められており、ブラストを掛けることが必要とされている。このブラスト処理に際しては、工場塗装部分に傷を付けないようにする必要がある。
【００１１】
鋼床版１０２下面においては、橋軸直角方向の現場溶接塗装部１１２が縦リブや主桁腹板を横断し、橋軸方向の現場溶接塗装部１１２は横桁や横リブを横断している。そのため、溶接の裏当て材を通すために設けられたスカーラップ部も研掃する必要があり、ブラスト処理による１種ケレンを行うことが必要である。
【００１２】
図７は、鋼床版１０２下面の現場溶接塗装部１１２に対してバキュームブラストを行っている状況を模式的に示す断面図であり、該断面は現場溶接塗装部１１２の中心線を含む面で鉛直方向に切断した断面である。バキュームブラストに用いるバキュームブラストノズル１３０は、図７に示すように、ブラスト材を圧縮空気で送り込むブラストホースが接続されたブラスト供給部１３２と、ブラスト材やブラスト材により削り落とされたものを吸引するバキュームホースが接続されたバキューム部１３４とを有し、先端部には、ブラスト面の凹凸に追従でき、ブラストする部位を囲む刷毛口１３６が設けられている。なお、図７において、バキュームブラストノズル１３０を２つ描いているが、図において右から左にバキュームブラストノズル１３０を移動させてブラスト処理を行っている状況を示すために２つ描いたものである。
【００１３】
バキュームブラストにおいてバキューム効果を十分に発揮させるためには、刷毛口１３６をブラストされる面に直角に当てる必要がある。しかし、図７に示すように、桁又はリブ１３８のスカーラップ部１４０において、桁又はリブ１３８の側面から２５ｍｍ程度の範囲は、ブラスト供給部１３２を当てることができず、バキュームブラストをすることができない。ここで、桁又はリブ１３８には、主桁、横桁、縦リブ、横リブがあり、いずれにおいても現場溶接塗装部１１２と交差する地点にはスカーラップ部１４０が設けられている。
【００１４】
また、ブラスト処理においては、作業員および周辺住民の健康衛生問題が生じないように、ブラスト時の粉塵対策が厳しく制限されるようになってきており、例えば、ブラスト材（研削材）として従来多用されてきた珪砂は、もろくて粉塵となりやすいため、その使用は平成１９年度から禁止されることとなっている。
【００１５】
健康衛生問題が生じないようするという観点から、オープンブラスト工法の場合、粉塵の外部への飛散を防ぐために、防護カバーを厳重に設置することが求められ、大がかりな仮構造を設けることが必要となっている。また、オープンブラスト工法の場合、研削材の回収にも労力を要する。バキュームブラスト工法の場合、特に、局部凹凸部、狭隘部、特殊形状部に対するブラスト処理を行う場合に、手間のかかる養生が必要となる。
【００１６】
したがって、ブラスト方法においては、簡易な方法で粉塵の外部への飛散を抑制することも求められる。
【００１７】
特許文献１では、管体の外面の溶接部分にカバーガイドを被覆して吸着保持し、管体の溶接部分をバキュームブラスト処理する方法が記載されている。
【００１８】
特許文献２では、ロンジを構成するフランジとウェブとの溶接部分をブラスト処理するに際し、ロンジのフランジ全体をブラストチャンバーで囲んでブラスト処理をする技術が記載されている。
【００１９】
特許文献３では、錆を落とす対象部材を柔軟なシートで覆って密封し、ブラスト処理を行う技術が記載されている。
【００２０】
【特許文献１】特開平９−１４１５５５号公報
【特許文献２】特開２０００−１３５６７９号公報
【特許文献３】特開２００４−９２１５号公報
【発明の開示】
【発明が解決しようとする課題】
【００２１】
しかしながら、特許文献１に記載の方法では、Ｕリブ鋼床版１００の縦リブや主桁腹板、横桁や横リブのスカーラップ部近傍の現場溶接塗装部１１２に対してカバーガイドを設置することはスカーラップ部の形状によっては困難な場合があると考えられる。また、研掃材と空気との混合物は、カバーガイド内を一方の吸い込み口から他方の吐出口に向かって、ブラスト処理すべき面とほぼ平行に進行するので、ブラスト処理の効果は劣ると考えられる。
【００２２】
特許文献２に記載の技術では、研掃の対象部分をブラストチャンバーで囲むことが必要であり、Ｕリブ鋼床版１００の縦リブや主桁腹板、横桁や横リブのスカーラップ部近傍の現場溶接塗装部１１２に対してこの技術を適用することは大がかりにすぎ、コスト面及び作業性に問題がある。
【００２３】
特許文献３に記載の技術では、錆を落とす対象部材を柔軟なシートで覆って密封することが必要であり、Ｕリブ鋼床版１００の縦リブや主桁腹板、横桁や横リブのスカーラップ部近傍の現場溶接塗装部１１２に対してこの技術を適用することは困難である。
【００２４】
本発明は、かかる問題点に鑑みてなされたものであって、ブラストすべき面に対して垂直にブラスト材を吹き付けることができない場合であっても、簡易な方法で所定範囲のみをブラスト処理することができ、かつ、ブラスト材や粉塵の飛散を抑制することができる局所ブラスト処理方法および局所ブラスト処理装置を提供することを課題とする。
【課題を解決するための手段】
【００２５】
本発明者は、上記課題を解決するため鋭意研究開発を行い、立体遮蔽体を配置して所定の養生を行うことで、ブラスト材をブラスト面に対して斜めに吹き付けても、所定範囲のみをブラスト処理することができ、かつ、粉塵の外部への飛散も抑制することができることを見出し、本発明をするに至った。
【００２６】
即ち、本発明に係る局所ブラスト処理方法は、溶接連結された鋼構造体の溶接発錆部および熱影響部をブラスト処理する方法において、前記溶接発錆部および熱影響部を含む、ブラスト処理をする必要があるかブラスト処理が許容される領域のみについてブラスト処理を可能とするように立体遮蔽体を配設することにより、該領域内の前記溶接発錆部および熱影響部を含む面に対して斜めにブラスト材を吹き付けてブラスト処理を行っても、ブラスト材や粉塵の飛散を抑制できるようにしたことを特徴とする。
【００２７】
前記立体遮蔽体は、ブラスト処理のための開き空間を有することが好ましい。
【００２８】
具体的には、前記鋼構造体は例えば鋼床版であり、前記ブラスト処理をする必要があるかブラスト処理が許容される領域は、例えば該鋼床版を下方から支持する桁又はリブのスカーラップ部近傍の領域である。
【００２９】
前記局所ブラスト処理方法および局所ブラスト処理装置においては、例えばバキュームブラストノズルを用いることができる。
【００３０】
前記立体遮蔽体に例えば磁石を取り付けておき、該磁石で該立体遮蔽体を前記鋼構造体に固定して前記配設を行うことができる。また、前記立体遮蔽体に例えば両面糊付きテープを付着させておき、該両面糊付きテープで該立体遮蔽体を前記鋼構造体に固定して前記配設を行うことができる。
【００３１】
本発明に係る局所ブラスト処理装置は、溶接連結された鋼構造体の溶接発錆部および熱影響部をブラスト処理するブラスト装置において、前記溶接発錆部および熱影響部を含む、ブラスト処理をする必要があるかブラスト処理が許容される領域のみについてブラスト処理を可能とするように立体遮蔽体を配設することにより、該領域内の前記溶接発錆部および熱影響部を含む面に対して斜めにブラスト材を吹き付けてブラスト処理を行っても、ブラスト材や粉塵の飛散を抑制できるようにしたことを特徴とする。
【００３２】
前記立体遮蔽体は、ブラスト処理のための開き空間を有することが好ましい。
【００３３】
前記開き空間は、前記立体遮蔽体の上面から底面まで貫通していてもよいし、また、底部が閉じられていてもよい。前記開き空間の底部が閉じられている場合、該底部から前記立体遮蔽体の底面までを貫通する孔を設けることが好ましい。
【００３４】
前記立体遮蔽体は、例えばスポンジ体から構成することができる。
【００３５】
前記開き空間を形成する面のうち、ブラスト処理の際にブラスト材が当たる箇所を補強しておくことも好ましい。
【発明の効果】
【００３６】
本発明に係る局所ブラスト方法および局所ブラスト装置においては、溶接発錆部および熱影響部を含む、ブラスト処理をする必要があるかブラスト処理が許容される領域のみについて、ブラスト処理を可能とする開き空間を有する立体遮蔽体を配設するので、工場塗装部等のブラスト処理が許容されない領域には傷を付けずにブラスト処理を行うことができ、かつ、該領域内の前記溶接発錆部および熱影響部を含む面に対して斜めにブラスト材を吹き付けてブラスト処理を行ってもブラスト材や粉塵の飛散を抑制できるので、近くに障害物がある領域についてもブラスト材や粉塵の飛散を抑制しつつ、ブラスト処理をすることができ、ブラスト時の粉塵対策を行いやすい。
【００３７】
例えば鋼床版に対して本発明に係る局所ブラスト方法および局所ブラスト装置を適用した場合には、鋼床版を下方から支持する桁又はリブのスカーラップ部近傍の溶接発錆部および熱影響部を含む面に対して斜めにブラスト材を吹き付けてブラスト処理を行っても、ブラスト材や粉塵の飛散を抑制できるので、スカーラップ部近傍の溶接発錆部および熱影響部に対しても、ブラスト材や粉塵の飛散を抑制しつつ、ブラスト処理をすることができる。
【００３８】
開き空間が立体遮蔽体の上面から底面まで貫通している場合には、ブラスト材を吹き付けるための空気も開き空間から下方に抜けることができ、よりスムーズなブラスト処理が可能となる。
【００３９】
開き空間の底部が閉じられている場合には、開き空間３の下方にブラスト材等を受ける板やシート等を設ける必要がない。
【００４０】
開き空間の底部が閉じられている場合に、該底部から立体遮蔽体の底面までを貫通する孔を設けた場合、該貫通孔にバキューム装置を取り付けて吸引することでブラスト材等を回収することができる。また、該貫通孔から空気が抜けるので、ブラスト材を吹き付けるための空気もそこから抜けることができ、開き空間内に堆積したブラスト材等が舞い上がることも防止でき、よりスムーズなブラスト処理が可能となる。
【００４１】
また、本発明に係る局所ブラスト処理方法および局所ブラスト処理装置においては、バキュームブラストノズルを用いることもでき、この場合、ブラスト面に対して斜めにブラスト材を吹き付けなければならない箇所も、垂直にブラスト材を吹き付けることができる箇所も、ノズル交換をせずに、１つのバキュームブラストノズルでバキュームブラスト処理を行うことができる。
【００４２】
立体遮蔽体をスポンジ体から構成した場合、添接板、ボルト、すみ肉溶接に伴う溶接ビード等の凹凸があっても、その凹凸を吸収でき、立体遮蔽体を容易に配設することができる。また、スポンジ体は軽量であるので、立体遮蔽体を配設する際の作業性に優れる。
【００４３】
立体遮蔽体に磁石を取り付けておき、該磁石で鋼構造体に固定して該立体遮蔽体の配設を行ったり、また、立体遮蔽体に両面糊付きテープを付着させておき、該両面糊付きテープで鋼構造体に固定して該立体遮蔽体の配設を行った場合、作業性がより向上する。
【００４４】
開き空間を形成する面のうち、ブラスト処理の際にブラスト材が当たる箇所を補強しておいた場合、立体遮蔽体の使用可能回数を増加させることができる。
【発明を実施するための最良の形態】
【００４５】
以下、図面を参照して、本発明の実施形態を詳細に説明する。
【００４６】
図８及び図９は、本発明に係る局所ブラスト処理方法を、鋼床版１０２下面に配置された桁又はリブ１３８のスカーラップ部１４０近傍の現場溶接塗装部１１２に対して適用している状況を模式的に示す断面図であり、該断面は現場溶接塗装部１１２の中心線を含む面で鉛直方向に切断した断面である。図８はバキュームなしのオープンブラストの場合であり、図９はバキュームブラストの場合であり、本発明に係る局所ブラスト処理方法は、オープンブラストにもバキュームブラストにも対応できる。
【００４７】
図８のオープンブラストの場合、中央部に開き空間１０Ａが設けられた立体遮蔽体１０を、オープンブラストノズル１４２を配置する側と反対側のスカーラップ部１４０に配置して養生を行う。これにより、工場塗装部のようにブラスト処理によって傷を付けてはいけない箇所にはブラスト材が当たらないようになり、ブラスト処理をする必要があるかブラスト処理が許容される領域のみについて、ブラスト処理が可能となる。立体遮蔽体１０を配置して養生を行った後、オープンブラストノズル１４２を、図中の矢印に示すように、ブラスト面に対する角度を変えつつブラスト処理をする。
【００４８】
吹き付けられたブラスト材（研削材）は、立体遮蔽体１０に受け止められ、図８において立体遮蔽体１０の開き空間１０Ａよりも左には飛散せず、ブラスト材や剥がされた錆、変状した無機ジンクリッチペイント等は、開き空間１０Ａに堆積していくか、立体遮蔽体１０に跳ね返されて図８においてオープンブラストノズル１４２側へ飛散するので、オープンブラストノズル１４２の後方を簡易にシート１２等で覆うとともに、オープンブラストノズル１４２の下方に、ブラスト材等を受ける板やシート１４を配置させておくことにより、ブラスト材等を周囲に飛散させずに回収することができ、粉塵の外部への飛散を抑制することができる。
【００４９】
図９のバキュームブラストの場合も、図８のオープンブラストの場合と同様に、バキュームブラストノズル１３０を配置する側と反対側のスカーラップ部１４０に立体遮蔽体１０を配置して養生を行い、工場塗装部のようにブラスト処理によって傷を付けてはいけない箇所にはブラスト材が当たらないようにし、ブラスト処理をする必要があるかブラスト処理が許容される領域のみについて、ブラスト処理が可能となるようにする。そして、バキュームブラストノズル１３０を、図中の矢印に示すように、ブラスト面に対する角度を変えつつブラスト処理をする。
【００５０】
バキュームブラストノズル１３０を鋼床版１０２の下面に対して斜めに当てているため、吹き付けられたブラスト材の全てがバキューム部１３４に吸引されて回収されるわけではないが、吹き付けられたブラスト材は、立体遮蔽体１０に受け止められ、図９において立体遮蔽体１０の開き空間１０Ａよりも左には飛散せず、ブラスト材や剥がされた錆、変状した無機ジンクリッチペイント等のうちの大部分は、開き空間１０Ａに堆積していくか、立体遮蔽体１０に跳ね返された後にバキューム部１３４に吸引されて回収される。ただし、立体遮蔽体１０に跳ね返されたブラスト材等のうちの一部はバキュームブラストノズル１３０に吸引されず、外部へ飛散するので、図８のオープンブラストの場合と同様に、バキュームブラストノズル１３０の後方を簡易にシート１６等で覆うとともに、バキュームブラストノズル１３０の下方に、ブラスト材等を受ける板やシート１８を配置させておくことにより、ブラスト材等を周囲に飛散させずに回収することができ、粉塵の外部への飛散を抑制することができる。
【００５１】
図９のバキュームブラストの場合は、負圧に吸引することにより、吹き付けられたブラスト材等のうちのある程度の部分を回収できるので、図８のオープンブラストの場合よりも粉塵の飛散を抑えることができ、粉塵の外部への飛散をより抑制することができる。また、図９の方法を採用することにより、他の部分をバキュームブラストする場合であっても、ノズル交換をせずに、研掃作業を行うことができる。
【００５２】
なお、図８、図９においては、立体遮蔽体１０として、中央部に開き空間１０Ａが設けられた一体形状のものを描いているが、開き空間１０Ａを設けることができるのであれば、立体遮蔽体１０は一体形状でなくてもよく、開き空間が設けられていない複数の立体遮蔽体を組み合わせて配置し、組み合わされた全体を立体遮蔽体１０としてもよい。
【００５３】
また、図１０は図８のＡ−Ａ断面を模式的に示す断面図であり、図１１は図９のＢ−Ｂ断面を模式的に示す断面図である。なお、図１０、図１１においては、図示の都合上、シート１２、１４は描いていない。図１０、図１１に示すように、桁又はリブ１３８に対して、オープンブラスト１４２、バキュームブラストノズル１３０と同じ側にあって、桁又はリブ１３８と直交する桁又はリブ１３９の表面に立体遮蔽体１０を配置することにより、跳ね返ってきたブラスト材が、オープンブラスト１４２、バキュームブラストノズル１３０と同じ側にある桁又はリブ１３９の塗装を傷付けることを防止することができる。
【００５４】
図１２は、立体遮蔽体１０の形状の例（立体遮蔽体３０、３２、３４、３６）を示す斜視図である。図１２（Ａ）は、上下に貫通した半円筒の開き空間３０Ａを中央部に備えた立体遮蔽体３０を示し、図１２（Ｂ）は、上下に貫通した四角柱の開き空間３２Ａを中央部に備えた立体遮蔽体３２を示し、図１２（Ｃ）は、底面まで貫通していない半円筒の開き空間３４Ａを中央部に備えた立体遮蔽体３４を示し、図１２（Ｄ）は、底面まで貫通していない半円筒の開き空間３６Ａを中央部に備え、該開き空間３６Ａの下に底面まで貫通した孔３６Ｂを設けた立体遮蔽体３６を示す。
【００５５】
図１２（Ａ）の立体遮蔽体３０は、上下に貫通した半円筒の開き空間３０Ａを中央部に備えている。図８、９の立体遮蔽体１０に代えて立体遮蔽体３０を用いて、ノズル１４２、１３０を配置する側と反対側のスカーラップ部に立体遮蔽体３０を配置して養生を行った場合、立体遮蔽体３０の上下に貫通した半円筒の開き空間３０Ａがブラスト空間を形成するので、吹き付けられたブラスト材等は、開き空間３０Ａの下部から下方に落ちる。そのため、立体遮蔽体３０を用いて養生を行った場合、ブラストノズル側にシート１２、１６、板やシート１４、１８を設けるだけでなく、ブラスト空間（開き空間３０Ａ）の下方にも板やシート等を設けてブラスト材等を受けるようにする。
【００５６】
図１２（Ｂ）の立体遮蔽体３２は、上下に貫通した四角柱の開き空間３２Ａを中央部に備えている。図８、９の立体遮蔽体１０に代えて立体遮蔽体３２を用いて、ノズル１４２、１３０を配置する側と反対側のスカーラップ部に立体遮蔽体３２を配置して養生を行った場合、立体遮蔽体３２の上下に貫通した四角柱の開き空間３２Ａがブラスト空間を形成するので、吹き付けられたブラスト材等は、開き空間３２Ａの下部から下方に落ちる。そのため、立体遮蔽体３２を用いて養生を行った場合、ブラストノズル側にシート１２、１６、板やシート１４、１８を設けるだけでなく、ブラスト空間（開き空間３２Ａ）の下方にも板やシート等を設けてブラスト材等を受けるようにする。
【００５７】
立体遮蔽体３０、３２のように、上下に貫通する開き空間３０Ａ、３２Ａを設けた場合には、開き空間３０Ａ、３２Ａからブラスト材等が下方に落ちるとともに空気が抜けるので、ブラスト材を吹き付けるための空気も開き空間３０Ａ、３２Ａから下方に抜けることができ、よりスムーズなブラスト処理が可能となる。
【００５８】
なお、ブラスト空間（開き空間）は、スカーラップを越えてブラスト処理する必要のある範囲の広さであって、その形状は、半円柱や四角柱などが好ましい。
【００５９】
図１２（Ｃ）の立体遮蔽体３４は、底面まで貫通していない半円筒の開き空間３４Ａを中央部に備えており、開き空間３４Ａの高さは立体遮蔽体３４の高さの半分程度である。図８及び図９の立体遮蔽体１０に代えて立体遮蔽体３４を用いて、ノズル１４２、１３０を配置する側と反対側のスカーラップ部に立体遮蔽体３４を配置して養生を行った場合、ブラスト空間（開き空間３４Ａ）の高さが立体遮蔽体３４の高さの半分程度となり、ブラスト空間（開き空間３４Ａ）は立体遮蔽体１０の上下に貫通しておらず、ブラスト材等がブラスト空間（開き空間３４Ａ）内に堆積していく。ブラスト空間（開き空間３４Ａ）内に堆積したブラスト材等は、立体遮蔽体３４の取り外し時に回収する。このように、立体遮蔽体３４の開き空間３４Ａは上下に貫通していないので、開き空間３４Ａの下方にブラスト材等を受ける板やシート等を設ける必要はない。
【００６０】
図１２（Ｄ）の立体遮蔽体３６は、立体遮蔽体３４と同様の非貫通の半円筒の開き空間３６Ａを中央部に備え、開き空間３６Ａの下には底面まで貫通した孔３６Ｂを備える。図８及び図９の立体遮蔽体１０に代えて立体遮蔽体３６を用いて、ノズル１４２、１３０を配置する側と反対側のスカーラップ部に立体遮蔽体３６を配置して養生を行った場合、ブラスト空間（開き空間３６Ａ）の高さが立体遮蔽体３６の高さの半分程度となり、ブラスト空間（開き空間３６Ａ）は立体遮蔽体３６の上下に貫通しておらず、ブラスト材等がブラスト空間（開き空間３６Ａ）内に堆積していく。ただし、開き空間３６Ａの下に底面まで貫通した孔３６Ｂが設けられているので、貫通孔３６Ｂにバキューム装置を取り付けて吸引し、貫通孔３６Ｂからブラスト材等を回収することもできる。また、貫通孔３６Ｂから空気が抜けるので、ブラスト材を吹き付けるための空気もそこから抜けることができ、開き空間３６Ａ内に堆積したブラスト材等が舞い上がることも防止でき、よりスムーズなブラスト処理が可能となる。
【００６１】
立体遮蔽体１０の材質としては、鋼床版１０２や桁、リブ１３８の表面の凹凸になじむ材質のものであればよく、特に限定されないが、例えば、凹凸になじむ軽いスポンジ体（海綿体）が適する。立体遮蔽体１０を設置する部位には、図１３（Ａ）に示すように添接板１５０、ボルト１５２等の凹凸があったり、図１３（Ｃ）に示すように鋼床版１０２と桁又はリブ１３８とのすみ肉溶接に伴う溶接ビード１５４等の凹凸があったりするからである。また、立体遮蔽体１０を設置する際の作業性の点で、軽い素材からなることが好ましい。
【００６２】
図１４は、立体遮蔽体１０によって養生を行う箇所（ノズルを配置する側と反対側のスカーラップ部１４０）を示す斜視図である。図１４（Ａ）は立体遮蔽体１０を取り付ける前の状況を示す斜視図であり、図１４（Ｂ）は立体遮蔽体１０をガムテープ４８で取り付けた後の状況を示す斜視図である。図１４（Ｂ）に示すように立体遮蔽体１０は簡易な方法で取り付けることができる。
【００６３】
立体遮蔽体１０の取り付け方法は、特に限定されないが、例えば図１５（Ａ）に示すように、立体遮蔽体１０（３０）の上面部にマグネットテープ５０を取り付けておき、磁力で鋼床版下面に取り付けられるようにしておくことが作業性の点で好ましい。また、例えば図１５（Ｂ）に示すように、立体遮蔽体１０（３０）の上面部に両面糊付きテープ５２を取り付けておき、両面糊付きテープ５２による接着力で鋼床版下面に取り付けられるようにしておくことも作業性の点で好ましい。
【００６４】
また、立体遮蔽体１０を図８及び図９に示すように配置して養生を行い、ブラスト処理を行うと、鋼床版１０２近傍の開き空間１０Ａ上部の内面には多くのブラスト材が衝突する。そこで、図１６に示すように、立体遮蔽体１０（３０）の中央部に設けられた開き空間１０Ａ（３０Ａ）を形成する面の上部に養生テープやガムテープ５４を貼って補強しておくことも好ましい。
【００６５】
なお、図１５（Ａ）、（Ｂ）及び図１６においては、立体遮蔽体１０の例として立体遮蔽体３０を描いているが、立体遮蔽体１０の形状は立体遮蔽体３０に限定されない。
【００６６】
また、本発明に係る局所ブラスト方法および局所ブラスト装置に用いるブラスト材は特に限定されず、アルミナやガーネット等を用いることができる。また、用いるブラストノズルは、オープンブラストの場合であっても、バキュームブラストの場合であっても、一般的に用いられている周知のものを用いることができる。ブラスト材を加速し対象物に吹き付けるための圧縮空気を供給する機構も特に限定されず、圧縮機(コンプレッサー)を用いた機構でも、送風機(ブロワー)を用いた機構でもよい。
【００６７】
以上説明したように、本発明に係る局所ブラスト方法を用いることにより、桁又はリブ１３８のスカーラップ部１４０近傍においても、工場塗装部に傷を付けずに、鋼床版１０２下面の現場溶接塗装部１１２をブラスト処理することができる。
【００６８】
また、本発明にかかる局所ブラスト処理方法においては、吹き付けられたブラスト材は立体遮蔽体１０が配置された側には立体遮蔽体１０を越えて飛散しないため、ノズル側を簡易に養生するのみで、ブラスト材や剥がされた錆、変状した無機ジンクリッチペイント等は外部に飛散せず、粉塵の外部への飛散を抑制することができる。
【図面の簡単な説明】
【００６９】
【図１】Ｕリブ鋼床版を斜め上方から見た斜視図
【図２】Ｕリブ鋼床版を斜め下方から見た斜視図
【図３】連結されたＵリブ鋼床版を斜め上方から見た斜視図
【図４】現場溶接を行う鋼床版（デッキプレート）の開先部を示す斜視図
【図５】鋼床版（デッキプレート）下面に設置された裏当て材と裏当て材カバーを示す斜視図
【図６】鋼床版（デッキプレート）上面からサブマージアーク溶接を行っている状況を示す斜視図
【図７】鋼床版下面の現場溶接塗装部に対してバキュームブラストを行っている状況を模式的に示す断面図（現場溶接塗装部の中心線を含む面で鉛直方向に切断した断面）
【図８】本発明に係る局所ブラスト処理方法を、鋼床版下面に配置された桁又はリブのスカーラップ部近傍の現場溶接塗装部に対して適用している状況を模式的に示す断面図（現場溶接塗装部の中心線を含む面で鉛直方向に切断した断面）（オープンブラストの場合）
【図９】本発明に係る局所ブラスト処理方法を、鋼床版下面に配置された桁又はリブのスカーラップ部近傍の現場溶接塗装部に対して適用している状況を模式的に示す断面図（現場溶接塗装部の中心線を含む面で鉛直方向に切断した断面）（バキュームブラストの場合）
【図１０】図８のＡ−Ａ断面を模式的に示す断面図
【図１１】図９のＢ−Ｂ断面を模式的に示す断面図
【図１２】（Ａ）、（Ｂ）、（Ｃ）、（Ｄ）立体遮蔽体の形状の例を示す斜視図
【図１３】鋼床版や桁、リブの表面の凹凸を示す図で、（Ａ）添接板、ボルトを示す図、（Ｂ）立体遮蔽体をスカーラップ部に取り付けた状況を示す斜視図、（Ｃ）すみ肉溶接に伴う溶接ビードを示す図で（Ｂ）のＣ−Ｃ断面図
【図１４】立体遮蔽体によって養生を行う箇所（ノズルを配置する側と反対側のスカーラップ部）を示す斜視図で、（Ａ）立体遮蔽体を取り付ける前の状況を示す斜視図、（Ｂ）立体遮蔽体をガムテープで取り付けた後の状況を示す斜視図
【図１５】立体遮蔽体の取り付け方法を示す斜視図で、（Ａ）マグネットテープで取り付ける場合（Ｂ）両面糊付きテープで取り付ける場合
【図１６】立体遮蔽体の中央部に設けられた開き空間を形成する面の上部を補強した状況を示す斜視図
【符号の説明】
【００７０】
１０、３０、３２、３４、３６…立体遮蔽体
１０Ａ、３０Ａ、３２Ａ、３４Ａ、３６Ａ…開き空間
１２、１６…シート
１４、１８…板やシート
３６Ｂ…孔
４８…ガムテープ
５０…マグネットテープ
５２…両面糊付きテープ
５４…養生テープやガムテープ
１００…Ｕリブ鋼床版
１０２…鋼床版（デッキプレート）
１０４…主桁（縦桁）
１０６…横桁
１０８…Ｕリブ
１０８Ａ…ハンドホール
１１０…横リブ
１１２…現場溶接塗装部
１１４…現場ボルト接合部
１１６…裏当て材
１１８…裏当て材カバー
１２０…溶接ビード
１３０…バキュームブラスト
１３２…ブラスト供給部
１３４…バキューム部
１３６…刷毛口
１３８、１３９…桁又はリブ
１４０…スカーラップ部
１４２…オープンブラストノズル
１５０…添接板
１５２…ボルト
１５４…溶接ビード
【図３】
2008290212.tif 000003
【図７】
2008290212.tif 000004
【図８】
2008290212.tif 000005
【図９】
2008290212.tif 000006
【図１０】
2008290212.tif 000007
【図１１】
2008290212.tif 000008
【図１２】
2008290212.tif 000009
【図１３】
2008290212.tif 000010
【図１４】
2008290212.tif 000011
【図１】
2008290212.tif 000012
【図２】
2008290212.tif 000013
【図４】
2008290212.tif 000014
【図５】
2008290212.tif 000015
【図６】
2008290212.tif 000016
【図１５】
2008290212.tif 000017
【図１６】
2008290212.tif 000018